(57)【要約】【課題】複雑な構造体を実現するシステムの提供。【解決手段】このシステムは、複数の基本要素と、前記基本要素と結合できる複数の構造及び／又は造形要素とを備え、各基本要素は第１の種類の構造及び／又は造形磁気要素と結合される強磁性体からなり、前記基本要素はさらに少なくとも第２の種類のプラスチック体要素と結合する非磁気結合手段を備え、前記プラスチック体要素は前記複数の基本要素に設けられた結合手段に対応する結合手段を備えることを特徴とする。【選択図】図１
2006068502.tif 000002
【特許請求の範囲】
【請求項１】
複雑な構造体を実現するシステムにおいて、
前記システムが、複数の基本要素と、前記基本要素に結合可能な複数の構造及び／又は造形要素とを含み、
各基本要素は強磁性体からなり、第１の種類の構造及び／又は造形磁気要素に結合され、
前記基本要素はさらに、少なくとも第２の種類のプラスチック体要素に結合するための非磁気結合手段を備え、
前記プラスチック体要素は、前記複数の基本要素に設けられた前記結合手段に対応する結合手段を備えることを特徴とする、複雑な構造体を実現するシステム。
【請求項２】
前記基本要素は、球状形状、正多面体形状、異形多面体形状、又はあらゆる他の適切な形状からなっていることを特徴とする請求項１に記載された複雑な構造体を実現するシステム。
【請求項３】
前記基本要素は、前記基本要素に対して基準系ｘ、ｙ、ｚに従って設けられる非磁気結合手段を有し、前記非磁気結合手段はｘ軸、ｙ軸およびｚ軸のうちの１つ又は複数に従って設けられることを特徴とする請求項１または請求項２に記載された複雑な構造体を実現するシステム。
【請求項４】
前記非磁気結合手段が、ねじ切りされた穴からなることを特徴とする請求項３に記載された複雑な構造体を実現するシステム。
【請求項５】
前記穴がねじ切り穴からなることを特徴とする請求項４に記載された複雑な構造体を実現するシステム。
【請求項６】
前記穴が、固定結合穴からなることを特徴とする請求項４に記載された複雑な構造体を実現するシステム。
【請求項７】
前記穴が貫通穴であることを特徴とする請求項４から請求項６までのいずれか１項に記載された複雑な構造体を実現するシステム。
【請求項８】
前記穴が止まり穴であることを特徴とする請求項４から請求項６までのいずれか１項に記載された複雑な構造体を実現するシステム。
【請求項９】
前記第１の種類の構造及び／又は造形要素が、少なくとも端部が磁気材料からなる実質的に伸張形状の要素からなることを特徴とする請求項１から請求項８までのいずれか１項に記載された複雑な構造体を実現するシステム。
【請求項１０】
前記第１の種類の構造及び／又は造形要素が棒からなることを特徴とする請求項９に記載された複雑な構造体を実現するシステム。
【請求項１１】
前記実質的に伸張形状の要素に、構造又は形態が付与されていることを特徴とする請求項９又は請求項１０に記載された複雑な構造体を実現するシステム。
【請求項１２】
前記第２の種類の構造及び／又は造形要素が、プラスチック材料からなることを特徴とする請求項１から請求項１１までのいずれか１項に記載された複雑な構造体を実現するシステム。
【請求項１３】
前記第２の種類の構造及び／又は造形要素が、剛いプラスチック材料からなることを特徴とする請求項１２に記載された複雑な構造体を実現するシステム。
【請求項１４】
前記第２の種類の構造及び／又は造形要素が、可撓性プラスチック材料からなることを特徴とする請求項１２に記載された複雑な構造体を実現するシステム。
【請求項１５】
前記第２の種類の構造及び／又は造形要素が、実質的に伸張形状であることを特徴とする請求項１２から請求項１４までのいずれか１項に記載された複雑な構造体を実現するシステム。
【請求項１６】
前記第２の種類の構造及び／又は造形要素が、物体、個人、人物、又はその一部の形状を有することを特徴とする請求項１２から請求項１５までのいずれか１項に記載された複雑な構造体を実現するシステム。
【請求項１７】
前記非磁気結合手段が、前記第２の種類の構造及び／又は造形要素に設けられた固定継手からなっており、前記基本要素の外側に結合することを特徴とする請求項１から請求項１６までのいずれか１項に記載された複雑な構造体を実現するシステム。
【請求項１８】
形状要素が提供され、該形状要素は、前記第１及び／又は第２の種類の構造及び／又は造形要素、前記基本要素、又はその組合せに結合することができ、形態又は要素或いはその一部を部分的又は完全に再現することを特徴とする請求項１から請求項１７までのいずれか１項に記載された複雑な構造体を実現するシステム。
【請求項１９】
前記基本要素の外側に固定結合できる要素が提供されることを特徴とする請求項１から請求項１８までのいずれか１項に記載された複雑な構造体を実現するシステム。
【請求項２０】
前記要素が、プラスチック材料からなることを特徴とする請求項１８又は請求項１９に記載された複雑な構造体を実現するシステム。
【請求項２１】
異なる寸法を有する基本要素が提供されることを特徴とする請求項１から請求項２０までのいずれか１項に記載された複雑な構造体を実現するシステム。
【請求項２２】
貫通穴を備える基本要素が提供され、前記貫通穴が前記実質的に伸張形状の第２の種類の構造及び／又は造形要素の外側に嵌合する寸法を有していることを特徴とする請求項１から請求項２１までのいずれか１項に記載された複雑な構造体を実現するシステム。
【請求項２３】
前記基本要素の穴の中に導かれる可撓性の伸張形状要素からなる構造及び／又は造形要素が提供され、前記可撓性の伸張形状の要素の外側に挿入できる形状又は造形要素が提供されることを特徴とする請求項１から請求項２２までのいずれか１項に記載された複雑な構造体を実現するシステム。
【請求項２４】
前記システムが、形状の付与された又は形状を付与されていない実質的に２次元の基台、又は他の２つの寸法に対して実質的に小さい厚さで形状を付与された又は形状を付与されておらず、前記基本要素を固定又は脱着可能に結合させる座部を備える基台を提供することを特徴とする請求項１から請求項２３までのいずれか１項に記載された複雑な構造体を実現するシステム。
【請求項２５】
前記システムが、形状の付与された又は形状を付与されない実質的に２次元の基台、又は他の２つの寸法に対して実質的に小さい厚さで形状を付与された又は形状を付与されておらず、同じ基台に直接埋め込まれた基本要素を備える基台を提供することを特徴とする請求項１から請求項２２までのいずれか１項に記載された複雑な構造体を実現するシステム。
【請求項２６】
前記基本要素が、鋼鉄、又はニッケル鍍金材料からなっていることを特徴とする請求項１から請求項２５までのいずれか１項に記載された複雑な構造体を実現するシステム。
【請求項２７】
実質的に図示し、明細書に説明した、請求項１から請求項２６までのいずれか１項に記載された複雑な構造体を実現するシステム。
【発明の詳細な説明】
【技術分野】
【０００１】
本発明は、複雑な組立体を実現するシステムに関するものである。
【０００２】
より詳細には本発明は、上記の種類のシステムに係り、磁気結合、固定結合、ねじ込みなどにより組立体を実現する場合に、基本要素から始め、他の要素を結合させることのできる、全ての種類の複雑な組立体を実現することを可能にする。
【背景技術】
【０００３】
以下の明細書では、基本要素とは、磁気要素の結合を可能にするように強磁性体からなる全ての種類の要素、好ましくは球体のことを言うが、異なる形状を有することもできる。基本要素は、可撓性又は剛いプラスチック材料からなる別の要素を結合する固定結合手段、又はねじ込み手段を備えており、前記要素は実現が望まれる特定の組立体に応じてあらゆる形状又は寸法を有している。多くの解決法が、構造体を実現するように過去何十年もの間実現されてきた。その中で過去７０年間、最も成功したものはレゴ（登録商標）システムである。初め、前記システムは異なる寸法を有する一連の小さなレンガを提供し、それらは全て同じ結合システムを備えており、適切に組み合わされれば、いくらか異なるが、いかなる場合でもかなり標準化された形状の構造物、特に建物を実現することが可能となった。
【０００４】
その後、このシステムは、常に公知のレゴ（登録商標）結合システムに基づき、常により実物形状に近い形状の実現のみならず、常により多くの複雑な構造物の実現のできる、常により差別化された解決法を統合してきた。
【０００５】
レゴ（登録商標）システムの発展の物語を全て語ることを望まないが、それは、基本構造物と同じ結合概念によって全て結合される、人物、特別な片（ピース）などの実現に基づいている。実質的に、数千の異なる片が実現され、極めて写実的で複雑な構造物の実現を可能にし、片は全て特徴的なレゴ（登録商標）システム結合によって組み合わされていた。
【０００６】
さらに、ここ数年の間、複雑な形態を実現するために、磁気要素と強磁性要素との間の相互作用に基づく異なる解決法が提示されてきた。
【０００７】
実質的に、強磁性要素と組み合わされた、磁気端部を有する棒、完全な磁気棒、又は複雑な形態を実現するための異なる方法の球体の組合せである。
【０００８】
第１の大分類では、磁気端部を備える棒の提供は、空隙によって分離された２個の磁石からなる全て同じ寸法を有する棒を提供するロジャーズ・コネクション（Ｒｏｇｅｒ’ｓ  Ｃｏｎｎｅｃｔｉｏｎ）として市場で知られている玩具、又は棒が磁石―強磁性体―磁石の組合せからなるジェオマグ（Ｇｅｏｍａｇ）（登録商標）という商品名として販売されている玩具が含まれるものと考えなければならない。いずれの場合でも、複雑な形態は強磁性球体を利用することによって実現される。
【０００９】
第２の大分類では、同じ出願人によって特許付与され実現されている、異なる寸法を備える棒を提供し、又完全に磁性材料からなる、スーパーマグ（Ｓｕｐｅｒｍａｇ）（登録商標）として市場で知られている製品が含まれるものと考えなければならない。スーパーマグ（Ｓｕｐｅｒｍａｇ）（登録商標）は、常により複雑な形態を実現する可能性と、得られた形態の頑丈性の両方に関して、既知の解決法に対して顕著な改良が実現されている。
【００１０】
しかし、既に述べたように、この種類のシステムの実行性をかなり改良し「広げた」、スーパーマグ（Ｓｕｐｅｒｍａｇ）（登録商標）の導入によってさえも、非常に多くの片を利用せずに、非常に高い費用をかけずに、各種類の形態を実現することは未だ可能ではない。
【００１１】
さらに、この種類の組立体によって実現できる形態は、異なる寸法の棒、及び異なる寸法の球、すなわちスーパーマグ（Ｓｕｐｅｒｍａｇ）（登録商標）で利用可能な要素を使用して実現できる形態に限られている。
【００１２】
例えば、常に、磁気要素及び強磁性要素の使用に基づく街、工場、宇宙船などの構造物、組立体を作製することを可能にする「システム」を、子供、又はいかなる場合でも要素の使用者に提供することは決してできない。
【発明の開示】
【発明が解決しようとする課題】
【００１３】
本発明の主な目的は、基本要素から始めて、全ての種類の構造物、形態、又は組立体を実現することを可能にする解決法を提供することである。
【００１４】
さらに、本発明の目的は磁気及び／又は内側又は外側固定結合を可能にする種類の基本要素の組合せに基づき、及び／又はねじ込み結合によって、磁気要素及び／又は剛い又は可撓性プラスチック体要素を備える、上記の種類のシステムを提供することである。
【００１５】
本発明の別の目的は、前記基本要素と１つ又は複数の固定結合座部を備える基台との間の結合に基づく構造体組立体の実現を可能にする、上記種類のシステムを提供することである。
【課題を解決するための手段】
【００１６】
したがって、本発明の特定の対象は、複雑な構造体を実現するシステムであって、該システムが、複数の基本要素と、前記基本要素に結合可能な複数の構造及び／又は造形要素とを含み、各基本要素は強磁性体からなり第１の種類の構造及び／又は造形磁気要素に結合され、前記基本要素はさらに非磁気結合手段を備えて少なくとも第２の種類のプラスチック体要素と結合し、前記プラスチック体要素は前記複数の基本要素に設けられた結合手段に対応する結合手段を備えることを特徴とする、複雑な構造体を実現するシステムである。
【００１７】
本発明によると、前記基本要素は球状形状、正多面体形状、異形多面体形状、又はあらゆる他の適切な形状からなっていることが好ましい。
【００１８】
さらに本発明によると、前記基本要素は１つ、２つ、３つ、４つ、５つ、又は６つの非磁気結合手段を提供する。
【００１９】
より詳細には、前記非磁気結合手段は、ねじ切り穴、固定結合穴、貫通穴、止まり穴からなっていてもよい。
【００２０】
常に本発明によると、前記第１の種類の構造及び／又は造形要素は、実質的に伸張形状の要素、好ましくは、少なくとも端部が磁性材料からなる棒からなっている。
【００２１】
又、本発明によると、前記実質的に伸張形状の要素に構造又は形態を付与することができる。
【００２２】
さらに本発明によると、前記第２の種類の構造及び／又は造形要素は、剛い又は可撓性のプラスチック材料でできていてもよい。
【００２３】
常に本発明によると、前記第２の種類の構造及び／又は造形要素は、実質的に伸張形状を有していてもよい。
【００２４】
さらに本発明によると、前記第２の種類の構造及び／又は造形要素は、物体、個人、人物、又はその一部の形状を有することができる。
【００２５】
前記非磁気結合手段は、前記第２の種類の構造及び／又は造形要素に設けられた固定継手からなっていてもよく、前記基本要素の外側に結合することができる。
【００２６】
さらに、形状要素が提供されることができ、形状要素は、前記第１及び／又は第２の種類の構造及び／又は造形要素、前記基本要素、又はその組合せと結合することができ、形態又は要素或いはその一部を部分的又は完全に再現できる。
【００２７】
さらに本発明によると、前記基本要素の外側に固定結合できる要素が提供される。
【００２８】
前記要素は、プラスチック材料からなっていることが好ましい。
【００２９】
さらに、異なる寸法を備える基本要素が提供される。
【００３０】
本発明によれば、貫通穴を備える基本要素が提供され、前記貫通穴は前記実質的に伸張形状の第２の種類の構造及び／又は造形要素の外側に嵌合する寸法を有している。
【００３１】
本発明によるシステムの一具体例によれば、前記基本要素の穴の中に導かれる可撓性の伸張形状の要素からなる構造及び／又は造形要素が提供され、前記可撓性の伸張形状の要素の外側に挿入できる形状又は造形要素が提供される。
【００３２】
さらに本発明によると、システムは、形状の付与された、又は形状を付与されていない実質的に２次元の基台、又は他の２つの寸法に対して実質的に小さい厚さで形状を付与された又は形状を付与されておらず、前記基本要素を固定又は脱着可能に結合させる座部を備える基台が提供される。
【００３３】
本発明によるシステムの別の具体例によると、形状を付与された、又は形状を付与されない実質的に２次元の基台、又は他の２つの寸法に対して実質的に小さい厚さで形状を付与された又は形状を付与されておらず、同じ基台に直接埋め込まれた基本要素を備える基台が提供される。
【００３４】
本発明によると、前記基本要素は、鋼鉄、又はニッケル鍍金材料からなっていることが好ましい。
【００３５】
次に本発明を、特に添付の図面の図を参照して、好ましい実施例により限定する目的ではなく例示する目的で説明する。
【実施例】
【００３６】
以下の明細書では、球体からなる基本要素が言及されるが、基本要素は異なる形状を有していてもよく、これは本発明の範囲外ではないことは明白である。
【００３７】
本発明によるシステムによって実現できるいくつかの構造体が図１〜図７に示されており、本発明によるシステムからなるいくつかの実施例がその後の図に示されている。
【００３８】
しかし、上記で説明され、又これから説明されることは、本発明によるシステムによって得ることのできる可能なほぼ無限の解決法の最小部分だけであり、以下に説明するように、本発明によるシステムは、１つ又は複数の基本要素に結合できる全ての形状及び機能を備えた要素を実現し、設計することにまず注意されたい。
【００３９】
以下の明細書に記すように、本発明による解決法は、球体として添付図面に示されているが異なる形状を有することもできる基本要素から始めて、全ての種類の多少複雑な構造物を実現する発明概念に基づくものである。実際、球体又は基本要素により、磁気結合或いは固定結合又はねじ込みのいずれかによって、全ての種類の構造及び／又は造形要素を結合することが可能である。
【００４０】
剛い又は可撓性材料からなり、球体への固定結合又はねじ込みによって結合される第２の種類の構成及び／又は造形要素を利用することができるので、球体及び磁気棒のみからなるものに対して、より「実行可能」で剛性のある構造物を実現することが可能になる。
【００４１】
さらに、前記第２の種類の構造及び／又は造形要素は、伝統的な磁気棒に対して明らかに低い費用で実現することができるので、本発明による解決法により、現実のものにより忠実であり少ない費用で複雑な形態又は構造物を得ることが可能である。
【００４２】
さらに、前記第２の種類の構造及び／又は造形要素は、複雑な構造物又は形態、例えば木、茂み、人物又は動物、車両の一部などを実現するのに必要な全ての形状を再現して実現することができ、それによって構造物又は形態の再現の忠実性を増すことができる。
【００４３】
ｘ軸、ｙ軸、およびｚ軸に関して異なる方向の連結を実現することが必要な場合、強磁性体からなる球体、又はいかなる場合でも基本要素は、磁気棒、例えばスーパーマグ（Ｓｕｐｅｒｍａｇ）（登録商標）棒の一端部を結合させることが可能である。
【００４４】
さらに、以下に記すように、要素をタイヤ形状などの球体に結合させることが実現可能である。
【００４５】
上記の短い説明から、球体、又は別の種類の基本要素は本発明による構造体の「結び目」であることが理解できるだろう。
【００４６】
次に添付の図面の図を観察すると、第１の図１〜図７は本発明によるシステムによって実現できるいくつかの形態を示している。
【００４７】
とりわけ、以下により詳細に説明する複数の球体１を使用し、これらを、磁気構造及び造形要素２と、およびプラスチック材料の第２の種類の剛い構造要素３’又は可撓性構造要素３”と組合せて、極めて複雑な形態を実現することが可能になる。
【００４８】
図示されていないが、例えば図１に示す自転車の座席の構造（他の形態の構造物でも可能である）は、複数の磁気棒要素２及び球体１によって実現される代わりに、現実の成型加工された座席に置き換えることができ、同じ座席の基礎を含む球体１に結合することができる。
【００４９】
又、図３に示す飛行機の先端は、球体１に固定された単一のプラスチック成形要素と置き換えることができる。同じことが、例えば図４の車両の座席にも当てはまる。
【００５０】
図４では常に、球体１の外側に結合する車輪４の実現に留意することができる。車輪４の代わりに、他の要素が、実現される形態に基づき実現することができる。
【００５１】
図６及び図７に示すとおり、前記基本要素１から始めて、様々な形態を実現するために、本発明によるシステムは又、球体１または他の基本要素を結合する座部を備えた基台５を提供することができ、又は前記基本要素を基台５に予め固定することができる。
【００５２】
次に、添付図面の図８〜図１３をより詳細に参照すると、図８ａ〜ｅは、全て、球体１に配置された基準系のｘ軸、ｙ軸、およびｚ軸に従って実現される、１つのねじ切りされた止まり穴６（図８ａ）、２つのねじ切りされた止まり穴（図８ｂ）、３つのねじ切りされた止まり穴（図８ｃ）、４つのねじ切りされた止まり穴（図８ｄ）、６つのねじ切りされた止まり穴（図８ｅ）を備えた基本要素１、すなわち球体を示している。
【００５３】
１つ、２つ、又は３つのねじ切りされた貫通穴７がそれぞれ、図８ｆ〜ｈに示されており、常に球体１に配置された基準系のｘ軸、ｙ軸、およびｚ軸に従って実現される。
【００５４】
ねじ切り穴６（７）を備えた球体１と、剛い又は可撓性のプラスチック製の構造及び／又は造形要素３’（３”）との結合が、図９ａ〜ｅに示されている。上記で既に説明したように、前記要素３’（３”）は又、プラスチック材料の複雑な形態からなっていてもよい。
【００５５】
次に図１０ａ〜ｅをより詳細に参照すると、全て球体１に配置された基準系のｘ軸、ｙ軸、およびｚ軸に従って実現される、１つの止まり穴（図９ａ）、２つの止まり穴（図９ｂ）、３つの止まり穴（図９ｃ）、４つの止まり穴（図９ｄ）、６つの止まり穴（図９ｅ）を備える、基本要素１、すなわち球体１が示されている。
【００５６】
ねじ切り穴６（７）を備える球体１に、剛い又は可撓性のプラスチック製の構造及び／又は造形要素３’（３”）を結合させることが、図１１ａ〜ｅに示されている。既に上記で説明したように、前記要素３’（３”）は、プラスチック材料の複雑な形態からなっていてもよい。
【００５７】
基本要素１、すなわち球体の特定の実施例が図１２ａ〜ｃに示されている。前記要素１は、伸張形状の構造及び／又は造形要素（図１１ｄは要素３’（３”）を示す）の外側に位置決めすることのできる寸法を有する貫通穴１１を備えている。本実施例の応用例が図４から分かるだろう。この解決法によって、磁気棒を非磁気要素３’又は３”に沿って結合させることが可能であり、それによってシステムの実行性をさらに良くすることができる。
【００５８】
図１３に示す解決法は、例えばトレーラの連節、又は同様の連結を実現するための、球体１の外側に固定結合された結合システム１２を提供する。
【００５９】
図１４ａ〜ｃに示す本発明によるシステムは、伸張形状の可撓性要素１３、及びスリーブ１４を提供する。スリーブ１４は、穴の開いた球体１と間隔を置いて前記要素１３に挿入される。
【００６０】
最後に、図１５ａ〜ｃは、要素３’（３”）の端部を球体１の穴に押し込むことによって得られる、球体１と要素３’（３”）との間の結合を示している。
【００６１】
本発明を、好ましい実施例により限定する目的ではなく、例示する目的で説明したが、変形形態及び／変更形態を特許請求の範囲で規定する関連する範囲から逸脱することなく、当業者は導入することができる。
【図面の簡単な説明】
【００６２】
【図１】本発明によるシステムによって実現される構造物の第１の実施例を示す図。
【図２】本発明によるシステムによって実現される構造物の第２の実施例を示す図。
【図３】本発明によるシステムによって実現される構造物の第３の実施例を示す図。
【図４】本発明によるシステムによって実現される構造物の第４の実施例を示す図。
【図５】本発明によるシステムによって実現される構造物の第５の実施例を示す図。
【図６】本発明によるシステムによって実現される構造物の第６の実施例を示す図。
【図７】本発明によるシステムによって実現される構造物の第７の実施例を示す図。
【図８】本発明によるシステムの基本要素の実施例を示す図。
【図９】対応する構造要素を備える一種の基本要素を示す図。
【図１０】本発明によるシステムの基本要素の別の実施例を示す図。
【図１１】対応する構造要素を備える一種の基本要素を示す図。
【図１２】構造要素の外側に位置決めされた別の種類の基本要素の斜視図。
【図１３】本発明による基本要素と構造要素の別の組合せの展開図である。
【図１４】本発明による基本要素と構造要素の別の組合せの組立体列を示す図。
【図１５】本発明による基本要素と構造要素の別の組合せの組立体列を示す図。
【符号の説明】
【００６３】
１  球体
２  磁気構造及び造形要素
３’  剛い構造要素
３”  可撓性構造要素
４  車輪
５  基台
６  ねじ切り止まり穴
７  ねじ切り貫通穴
１２  結合システム
１３  可撓性要素
１４  スリーブ
【図１】
2006068502.tif 000003
【図２】
2006068502.tif 000004
【図３】
2006068502.tif 000005
【図４】
2006068502.tif 000006
【図５】
2006068502.tif 000007
【図６】
2006068502.tif 000008
【図７】
2006068502.tif 000009
【図８】
2006068502.tif 000010
【図９】
2006068502.tif 000011
【図１０】
2006068502.tif 000012
【図１１】
2006068502.tif 000013
【図１２】
2006068502.tif 000014
【図１３】
2006068502.tif 000015
【図１４】
2006068502.tif 000016
【図１５】
2006068502.tif 000017